(57)【要約】【課題】省スペース化による小型化を図りつつ、優れた防塵性能を確保することができるファインダ装置を提供する。【解決手段】ファインダ装置は、レンズ１１〜１３を保持するレンズホルダ４と、表示パネル６を保持するパネルホルダ７と、レンズ１１〜１３と表示パネル６との光軸方向の距離を変更することで視度を調整する視度調整手段と、レンズホルダ４、及びパネルホルダ７にそれぞれ光軸方向に密着した状態でレンズホルダ４とパネルホルダ７との間に配置され、視度調整手段による光軸方向の距離の変更に応じて、視度の調整範囲にわたって光軸方向に弾性的に変形して、レンズホルダ４とパネルホルダ７との間を密閉するシール部材９と、を備える。【選択図】図８
2017015928.tif 000002
【特許請求の範囲】
【請求項１】
レンズを保持するレンズホルダと、
表示パネルを保持するパネルホルダと、
前記レンズと前記表示パネルとの光軸方向の距離を変更することで視度を調整する視度調整手段と、
前記レンズホルダ、及び前記パネルホルダにそれぞれ光軸方向に密着した状態で前記レンズホルダと前記パネルホルダとの間に配置され、前記視度調整手段による前記光軸方向の距離の変更に応じて、前記視度の調整範囲にわたって前記光軸方向に弾性的に変形して、前記レンズホルダと前記パネルホルダとの間を密閉するシール部材と、を備えることを特徴とするファインダ装置。
【請求項２】
前記シール部材の一部は、前記パネルホルダを光軸と直交する方向に付勢することを特徴とする請求項１に記載のファインダ装置。
【請求項３】
シール部材は、前記表示パネルの表示領域よりも大きな開口部を有して前記パネルホルダに密着する第１フランジ部と、前記レンズの光学的な有効範囲よりも大きな開口部を有して前記レンズホルダに密着する第２フランジ部と、前記第１フランジ部と前記第２フランジ部とを連結する弾性変形可能な連結部と、を有し、
前記第１フランジ部、及び前記第２フランジ部は、それぞれ前記連結部よりも剛性の高い補強部によって補強されていることを特徴とする請求項１又は２に記載のファインダ装置。
【請求項４】
前記レンズホルダは、前記シール部材により密閉される空間に連通し、前記シール部材の光軸方向の変形に応じて空気を流出入させて容積を変更する空間部を有することを特徴とする請求項１乃至３のいずれか一項に記載のファインダ装置。
【請求項５】
前記視度調整手段は、前記レンズホルダに対して前記パネルホルダを光軸方向に移動させることにより、前記レンズと前記表示パネルとの光軸方向の距離を変更して視度を調整することを特徴とする請求項１乃至４のいずれか一項に記載のファインダ装置。
【請求項６】
請求項１乃至５のいずれか一項に記載のファインダ装置を備えることを特徴とする撮像装置。
【発明の詳細な説明】
【技術分野】
【０００１】
本発明は、例えばデジタルカメラやデジタルビデオカメラ等の撮像装置におけるファインダ装置、及びファインダ装置を備える撮像装置に関する。
【背景技術】
【０００２】
デジタルカメラ等の撮像装置に搭載される電子式のファインダ装置には、ＬＣＤパネルや有機ＥＬパネル等の表示パネルが用いられ、これらの表示パネルは、小型化と低コスト化の要求とともに、高精細化が進んでいる。
【０００３】
一方、高精細な表示パネルを搭載しつつ、ファインダ装置としての視野角の広さをも確保しようとすると、レンズによる光学的な拡大率は高くなり、表示パネルの表面に塵埃等の微細な異物が付着した場合でも、異物が視認されやすくなる。
【０００４】
一般的に、ファインダ装置は、比較的クリーンな環境下で組み立てられ、ケース内部に塵埃等の異物が混入しないよう厳しく管理されている。しかし、カメラを塵埃等が多い環境下で長く使用すると、カメラ内部に塵埃等の異物が入り込むことがある。このとき、ファインダ装置を覆うケースにわずかでも隙間が存在すると、微細な異物がファインダ装置の内部に混入し、画質に影響を及ぼす可能性がある。
【０００５】
そこで、外側ケースと内側ケースとの間に防塵用クッションを介在させ、互いのケースの内部を密閉したファインダ装置が提案されている（特許文献１）。この提案では、ＬＣＤパネルを収納した内側ケースをレンズ等を収納した外側ケースの内部に挿入してケースを二重構造とし、２つのケースの隙間を埋めるため、防塵用クッションを圧縮させて配置している。これにより、外側ケースの開口部から塵埃等が進入したとしても、ケースの合わせ面が密閉されているため、内側ケースの内部にまで到達するのを防ぐことができるとしている。
【０００６】
また、デフォーカス効果を利用することによって、ファインダ装置の内部に進入した異物を目立たないようにした技術が提案されている（特許文献２）。この提案では、保護カバーとしてのアクリル板を、その表面に異物が付着しても視認されにくい位置、即ち、表示パネルから離れた位置に配置し、ファインダ装置のケースを密閉するように固定している。
【先行技術文献】
【特許文献】
【０００７】
【特許文献１】特開２００７−１６６４６３号公報
【特許文献２】特開２０００−２７８５６５号公報
【発明の概要】
【発明が解決しようとする課題】
【０００８】
しかし、上記特許文献１では、外側ケースと内側ケースとが二重構造であるため、それぞれのケースの肉厚により、ファインダ装置の小型化が困難となる。
【０００９】
また、上記特許文献２では、視度調整で使用する全範囲にわたってデフォーカス効果を得ようとすると、アクリル板をその分だけ表示パネルから離して配置する必要がある。そのため、アクリル板と表示パネルとファインダ装置のケースとで構成される密閉空間の占有スペースが大きくなり、上記特許文献１と同様に、ファインダ装置の小型化が困難となる。
【００１０】
そこで、本発明は、省スペース化による小型化を図りつつ、優れた防塵性能を確保することができるファインダ装置、及びファインダ装置を備える撮像装置を提供することを目的とする。
【課題を解決するための手段】
【００１１】
上記目的を達成するために、本発明のファインダ装置は、レンズを保持するレンズホルダと、表示パネルを保持するパネルホルダと、前記レンズと前記表示パネルとの光軸方向の距離を変更することで視度を調整する視度調整手段と、前記レンズホルダ、及び前記パネルホルダにそれぞれ光軸方向に密着した状態で前記レンズホルダと前記パネルホルダとの間に配置され、前記視度調整手段による前記光軸方向の距離の変更に応じて、前記視度の調整範囲にわたって前記光軸方向に弾性的に変形して、前記レンズホルダと前記パネルホルダとの間を密閉するシール部材と、を備えることを特徴とする。
【発明の効果】
【００１２】
本発明によれば、ファインダ装置の省スペース化による小型化を図りつつ、ファインダ装置の優れた防塵性能を確保することができる。
【図面の簡単な説明】
【００１３】
【図１】本発明の実施形態の一例であるファインダ装置を備えるデジタルカメラを背面側から見た斜視図である。
【図２】ファインダ装置の背面側斜視図である。
【図３】図２に示すファインダ装置の分解斜視図である。
【図４】（ａ）はシール部材を撮影者側から見た斜視図、（ｂ）はシール部材を被写体側から見た斜視図である。
【図５】（ａ）はシール部材を被写体側から光軸方向に見た図、（ｂ）は（ａ）のＳ１−Ｓ１線断面図である。
【図６】（ａ）はファインダ装置を撮影者側から見た部分的分解斜視図、（ｂ）はファインダ装置を被写体側から見た部分的分解斜視図、（ｃ）は（ｂ）のＸ１部拡大図である。
【図７】ファインダ装置を撮影者側から光軸方向に見た図である。
【図８】（ａ）は視度がプラス側の端であるのときの図７のＳ２−Ｓ２線断面図、（ｂ）は（ａ）のＸ２部拡大図である。
【図９】（ａ）及び（ｂ）は、それぞれ視度がプラス側の端であるときの図７のＳ３−Ｓ３線断面図及び図７のＳ４−Ｓ４線断面図である。
【図１０】（ａ）は視度がマイナス側の端であるときの図７のＳ２−Ｓ２線断面図、（ｂ）は（ａ）のＸ３部拡大図である。
【図１１】（ａ）及び（ｂ）は、それぞれ視度がマイナス側の端であるときの図７のＳ３−Ｓ３線断面図及び図７のＳ４−Ｓ４線断面図である。
【発明を実施するための形態】
【００１４】
以下、図面を参照して、本発明の実施形態の一例を説明する。
【００１５】
図１は、本発明の実施形態の一例であるファインダ装置を備えるデジタルカメラを背面側から見た斜視図である。なお、本実施形態では、撮像装置の一例としてデジタルカメラを例示するが、ファインダ装置を備えるデジタルビデオカメラやその他の撮像装置であってもよい。
【００１６】
図１に示すデジタルカメラ３０は、正面側にレンズ鏡筒３１が設けられ、背面側に表示ユニット３２が開閉可能に設けられている。デジタルカメラ３０の背面側から見て右側の上面部には、レリーズボタン３３や電源ボタン３４等が設けられ、左側の上面部には、ファインダ装置１Ａが設けられている。
【００１７】
ファインダ装置１Ａは、カメラ３０の背面外装の一部を形成するベース部材１を有し、ベース部材１には、接眼窓２が設けられ、ベース部材１の接眼窓２の左側部には、視度調整ダイアル３が設けられている。ベース部材１は、カメラ３０の背面から突出して配置され、撮影者が接眼窓２を覗き込む際、撮影者の顔が接眼窓２と直接的に接触しないよう設けられている。視度調整ダイアル３は、カメラ３０の背面から一部が突出して保持されている。これにより、撮影者は、接眼窓２を覗き込みながら、視度調整ダイアル３を回転操作することが可能となっている。
【００１８】
図２は、ファインダ装置１Ａの背面側斜視図である。図３は、図２に示すファインダ装置１Ａの分解斜視図である。
【００１９】
図２及び図３に示すように、ファインダ装置１Ａは、カメラ３０の不図示のシャーシに固定される金属製のケース部材５を有し、ケース部材５の背面側には、ベース部材１がビス等により固定される。ケース部材５の内部には、有機ＥＬパネル６、パネルホルダ７、放熱板８、シール部材９、マスク部材１４、スペーサ部材１５、及び変換レバー２１等が収納される。
【００２０】
レンズホルダ４は、複数のレンズ１１〜１３を保持し、ベース部材１に対してビス等により固定される。有機ＥＬパネル６は、本発明の表示パネルの一例に相当し、パネルホルダ７に保持される。放熱板８は、パネルホルダ７との間で有機ＥＬパネル６を光軸方向に挟み込み、ビス等によりパネルホルダ７に固定される。放熱板８は、銅やアルミニウム等の比較的熱伝導率の高い金属板等で形成され、有機ＥＬパネル６を固定するとともに、有機ＥＬパネル６の表面と密着して熱を拡散する機能を有する。
【００２１】
シール部材９は、パネルホルダ７の上面に形成された位置決めピン７１に対して上側から放熱板８と共にパネルホルダ７の背面側（撮影者側）に固定される。このとき、シール部材９は、放熱板８と有機ＥＬパネル６との間で光軸方向に弾性的に圧縮された状態となり、有機ＥＬパネル６を光軸方向の被写体側に付勢する。なお、本実施形態では、シール部材９の材質として、シリコンゴムを用いているが、気泡構造を有するスポンジ等を用いてもよい。また、シール性を有するシートや布と板バネや線バネ等の弾性部材とを貼り合わせてシール部材を構成してもよい。
【００２２】
パネルホルダ７には、光軸を挟んで対角となる位置にそれぞれ嵌合孔７２が形成され、嵌合孔７２には、金属製のガイド軸１０の正面側（被写体側）の端部が嵌合固定されている。ガイド軸１０は、嵌合孔７２に対応してマスク部材１４に形成された挿通孔１４ｂを挿通してレンズホルダ４に形成されたガイド孔４ｃに挿入される。これにより、パネルホルダ７が光軸方向に沿って移動可能に案内される。
【００２３】
ガイド軸１０の撮影者側の端部には、ガイド軸１０とともにガイド孔４ｃ内を光軸方向に移動するキャップ部材１６が嵌合固定されている。キャップ部材１６とベース部材１との間には、コイルバネ１７が圧縮状態で設けられ設けられている。コイルバネ１７の光軸方向の弾性力とシール部材９の光軸方向の弾性力とを用いて、パネルホルダ７を常に被写体側に付勢し、これにより、パネルホルダ７をガタつくことなく光軸方向に円滑に移動させることができる。
【００２４】
マスク部材１４は、遮光性を有するシート部材と両面テープとが貼り合わされて形成され、レンズ１１の光学的に有効な範囲に有害な外光や反射光が入射するのを防ぐためのものである。スペーサ部材１５は、レンズ１１とレンズ１２との間に介装され、２つのレンズ１１，１２間の距離を精度良く維持する。
【００２５】
レンズ１２、スペーサ部材１５及びレンズ１１は、レンズホルダ４に対して被写体側の端部から順に挿入され、それぞれの外形でレンズホルダ４の内壁に嵌合される。その後、マスク部材１４が、これらの蓋としてレンズホルダ４に被写体側の端部に貼り付けられ、レンズ１２とスペーサ部材１５とレンズ１１とが光軸方向に抜け止めされる。
【００２６】
一方、レンズ１３は、レンズホルダ４の撮影者側の端部から挿入されて、他のレンズ１１，１２と同様にその外形でレンズホルダ４の内壁に嵌合される。そして、レンズ１３は、レンズホルダ４がベース部材１にビス等で締結されて、レンズホルダ４とベース部材１との間に挟持されることで、光軸方向に位置決めされる。
【００２７】
視度調整ダイアル３は、段付ビス１８によりベース部材１の側壁に対して回転操作可能に締結される。視度調整ダイアル３とベース部材１との間には、金属製のボール１９とボール１９を付勢するコイルバネ２０が設けられている。コイルバネ２０とボール１９とは、ベース部材１の側壁に形成された穴部１ｂに順に挿入され、ボール１９を視度調整ダイアル３に設けられた不図示の凹凸形状部に係合させることで、視度調整ダイアル３を任意の角度で停止させることができる。
【００２８】
変換レバー２１は、レバーホルダ２２とケース部材５との間に挟持され、視度調整ダイアル３の回転動作をパネルホルダ７の光軸方向の直進動作に変換する。詳しくは後述するが、撮影者が視度調整ダイアル３を回転操作すると、変換レバー２１が回動し、パネルホルダ７を光軸方向に移動させる。
【００２９】
本実施形態では、ケース部材５内にレンズホルダ４を固定配置し、レンズホルダ４より占有スペースの少ないパネルホルダ７を光軸方向に移動させることで、有機ＥＬパネル６とレンズ１１〜１３の距離を変動させて視度を調整し、スペースの効率化を図っている。なお、本実施形態における視度は、プラス側の端である＋４．５ｄｉｏｐｔｅｒからマイナス側の端である−４．５ｄｉｏｐｔｅｒまでの調整範囲で調整可能に設定されている。
【００３０】
図４（ａ）はシール部材９を撮影者側から見た斜視図、図４（ｂ）はシール部材９を被写体側から見た斜視図である。図５（ａ）はシール部材９を被写体側から光軸方向に見た図、図５（ｂ）は図５（ａ）のＳ１−Ｓ１線断面図である。
【００３１】
シール部材９は、図４及び図５に示すように、被写体側から撮影者側に向けて光軸方向に次第に広がる略矩形筒状に形成され、被写体側の端部内周部には、径方向内側に突出する第１フランジ部９ａが設けられている。また、シール部材９の撮影者側の端部外周部には、径方向外側に突出する第２フランジ部９ｂが設けられ、第１フランジ部９ａと第２フランジ部９ｂは、弾性変形可能な連結部９ｃにより連結されている。
【００３２】
第１フランジ部９ａの内周部は、有機ＥＬパネル６の表示領域よりも大きな開口部（図８及び図９参照）を有し、第１フランジ部９ａの被写体側の面は、平面状に形成されて、有機ＥＬパネル６を保持するパネルホルダ７に対して光軸方向に密着する。第２フランジ部９ｂの内周部は、レンズ１１の光学的な有効範囲よりも大きな開口部を有し、第２フランジ部９ｂの撮影者側の面は、平面上に形成されて、マスク部材１４を介してレンズホルダ４に対して光軸方向に密着する。
【００３３】
また、第１フランジ部９ａは、補強部９ｄにより補強され、第２フランジ部９ｂは、補強部９ｅにより補強されている。補強部９ｄ及び補強部９ｅは、連結部９ｃより厚肉で剛性が高くなるように形成されている。第１フランジ部９ａの上辺部には、被写体側に向けて突出する位置決め片９ｆが設けられ、位置決め片９ｆには、パネルホルダ７の位置決めピン７１に対応する位置決め孔９ｇが形成されている。シール部材９は、前述したように、パネルホルダ７の上面部に形成された位置決めピン７１に位置決め孔９ｇを嵌合することで、位置決め片９ｆが光軸と直交する下方に圧縮された状態でパネルホルダ７に固定される。
【００３４】
図６（ａ）はファインダ装置１Ａを撮影者側から見た部分的分解斜視図、図６（ｂ）はファインダ装置１Ａを被写体側から見た部分的分解斜視図、図６（ｃ）は図６（ｂ）のＸ１部拡大図である。
【００３５】
図６に示すように、シール部材９及びマスク部材１４は、パネルホルダ７とレンズホルダ４との間に光軸方向に重なった状態配置される。そして、前述したように、シール部材９の第１フランジ部９ａにパネルホルダ７が密着し、第２フランジ部９ｂにマスク部材１４を介してレンズホルダ４が密着する。
【００３６】
このとき、パネルホルダ７は、有機ＥＬパネル６を光軸方向に隙間なく保持している。マスク部材１４についても、レンズ１１との間に光軸方向に隙間が生じないようにレンズホルダ４に貼り付けられている。そして、パネルホルダ７とマスク部材１４との間にシール部材９が圧縮された状態で挟持されることで、有機ＥＬパネル６とレンズ１１との間の第１の空間部Ａ（図８参照）が密閉される。
【００３７】
図６（ｃ）に示すように、レンズホルダ４のガイド孔４ｃの内側には、レンズホルダ４を光軸方向に貫通する通気口４ａが形成され、通気口４ａの内側には、通気口４ａとマスク部材１４に形成された通気口１４ａとを連通する通気溝４ｂが形成されている。通気口４ａは、ガイド孔４ｃ内においてキャップ部材１６の被写体側の第２の空間Ｂ（図９参照）に連通しており、これにより、第１の空間部Ａと第２の空間部Ｂとが通気口１４ａ、通気溝４ｂ及び通気口４を介して連通している。
【００３８】
図７は、ファインダ装置１Ａを撮影者側から光軸方向に見た図である。図８（ａ）は視度がプラス側の端である＋４．５ｄｉｏｐｔｅｒのときの図７のＳ２−Ｓ２線断面図、図８（ｂ）は図８（ａ）のＸ２部拡大図である。図９（ａ）及び図９（ｂ）は、それぞれ視度がプラス側の端である＋４．５ｄｉｏｐｔｅｒのときの図７のＳ３−Ｓ３線断面図及び図７のＳ４−Ｓ４線断面図である。
【００３９】
図８（ａ）及び図８（ｂ）に示すように、シール部材９は、有機ＥＬパネル６とレンズ１１との間で圧縮された状態でパネルホルダ７に保持されている。そして、被写体側の第１フランジ部９ａがパネルホルダ７に密着し、撮影者側の第２フランジ部９ｂがマスク部材１４に密着している。これにより、第１の空間部Ａは、第２の空間部Ｂと連通した状態で密閉され、第１の空間部Ａに塵埃等の異物が進入するのを防止することができる。
【００４０】
なお、レンズ１１、スペーサ部材１５及びレンズ１２とは、前述したように、マスク部材１４によって光軸方向に抜け止めされているが、一般に、レンズ間の距離に要求される精度は非常に高く、これらの部材にガタつきが生じると、光学性能が劣化する。また、レンズは、射出成形によるプラスチックレンズが多く用いられるが、剛性が比較的低く、圧入嵌合によってレンズが歪む等の可能性がある。
【００４１】
そこで、本実施形態では、シール部材９の光軸方向の弾性力を利用し、マスク部材１４を介してレンズ１１、スペーサ部材１５及びレンズ１２をレンズホルダ４側に付勢するようにしている。このときのシール部材９による弾性力は、振動や衝撃等によってレンズなどがレンズホルダ４から脱落するときの荷重よりも高く、かつレンズに歪みが生じるときの荷重よりも低く設定されている。
【００４２】
また、シール部材９に形成された位置決め片９ｆは、有機ＥＬパネル６と放熱板８との間で光軸と直交する下方に圧縮された状態で組み込まれている。一般的に、有機ＥＬパネル６の外形には、寸法のばらつきが生じてしまうため、パネルホルダ７に対して有機ＥＬパネル６が取り付けガタの分だけ光軸からずれる可能性がある。そこで、本実施形態では、シール部材９の一部である位置決め片９ｆの弾性変形を利用して、有機ＥＬパネル６を光軸と直交する下方に付勢してガタつきなくパネルホルダ７で保持するようにしている。
【００４３】
図９（ａ）に示すように、コイルバネ１７は、レンズホルダ４のガイド孔４ｃに挿入され、ベース部材１とキャップ部材１６との間で圧縮された状態で配置されている。コイルバネ１７の弾性力は、キャップ部材１６とガイド軸１０とを介してパネルホルダ７を常に被写体側へ付勢している。このとき、第２の空間部Ｂは、レンズホルダ４とガイド軸１０とキャップ部材１６とで密閉されている。
【００４４】
図９（ｂ）に示すように、視度調整ダイアル３には、駆動ピン３ａが設けられ、パネルホルダ７の側面には、フォロアピン７ａが設けられている。また、レバーホルダ２２には、変換レバー２１を回動可能に支持する回動軸２２ａが設けられている。変換レバー２１は、一方の端部が駆動ピン３ａに係合し、他方の端部がフォロアピン７ａに係合している。これにより、視度調整ダイアル３を回転操作することで、視度調整ダイアル３の回転動作がパネルホルダ７の光軸方向の直進動作に変換される。
【００４５】
図１０（ａ）は視度がマイナス側の端である−４．５ｄｉｏｐｔｅｒのときの図７のＳ２−Ｓ２線断面図、図１０（ｂ）は図１０（ａ）のＸ３部拡大図である。図１１（ａ）及び図１１（ｂ）は、それぞれ視度がマイナス側の端である−４．５ｄｉｏｐｔｅｒのときの図７のＳ３−Ｓ３線断面図及び図７のＳ４−Ｓ４線断面図である。
【００４６】
図８（ａ）と図１０（ａ）とを比較すると、視度が＋４．５ｄｉｏｐｔｅｒから−４．５ｄｉｏｐｔｅｒに変更されることで、パネルホルダ７が撮影者側に移動し、有機ＥＬパネル６がレンズ１１に接近する。このとき、シール部材９の第１フランジ部９ａが第２フランジ部９ｂに接近し、図１０（ｂ）に示すように、連結部９ｃが光軸方向に蛇腹状に変形し、第１の空間Ａの容積が縮小する。
【００４７】
前述したように、第１フランジ部９ａの補強部９ｄ及び２フランジ部９ｂの補強部９ｅは、連結部９ｃよりも厚肉で剛性が高くなっている。そのため、連結部９ｃが蛇腹状に大きく変形しても補強部９ｄ及び補強部９ｅとその影響を受けることなく、第１フランジ部９ａ及び２フランジ部９ｂのそれぞれの密着状態を維持することができる。
【００４８】
一方、図９（ａ）と図１１（ａ）とを比較すると、視度が＋４．５ｄｉｏｐｔｅｒから−４．５ｄｉｏｐｔｅｒに変更されることで、キャップ部材１６がコイルバネ１７の付勢力に抗して撮影者側に押し込まれている。このとき、レンズホルダ４とキャップ部材１６とで密閉された第２の空間部Ｂは、図９（ａ）に示す状態からその容積を拡大している。
【００４９】
ここで、第１の空間部Ａと第２の空間部Ｂとは、前述したように、通気口１４ａ、通気溝４ｂ及び通気口４ａを介して連通しており、第１の空間部Ａの容積が縮小すると、第１の空間部Ａに存在していた空気は、第２の空間部Ｂ側に流れ込む。
【００５０】
逆に、第１の空間部Ａの容積が拡大した場合であっても、第２の空間部Ｂの容積が縮小することで、第２の空間部Ｂに存在していた空気は、第１の空間部Ａ側に流れ込む。即ち、シール部材９により密閉される第１の空間部Ａに連通する第２の空間部Ｂは、シール部材９の光軸方向の変形に応じて空気を流出入させて容積を変更する。これにより、視度調整ダイアル３を回転操作して視度調整を繰り返したとしても、第１の空間部Ａ及び第２の空間部Ｂに存在する空気は、外部の空気と混ざり合うことがなく、クリーンな環境下で組み立てられた状態を維持することができる。
【００５１】
また、図９（ｂ）と図１１（ｂ）とを比較すると、視度調整ダイアル３が＋４．５ｄｉｏｐｔｅｒの角度から−４．５ｄｉｏｐｔｅｒの角度まで操作されて、駆動ピン３ａが下側に移動している。変換レバー２１は、時計回り方向に回動しており、パネルホルダ７のフォロアピン７ａは光軸方向の撮影者側へ移動している。なお、視度を−４．５ｄｉｏｐｔｅｒから＋４．５ｄｉｏｐｔｅｒに変更する場合については、上記動作と逆となるため、その説明を省略する。
【００５２】
以上説明したように、本実施形態では、光軸方向に弾性変形可能なシール部材９により視度調整で使用する全範囲にわたってレンズ１１と有機ＥＬパネル６との間の空間を密閉して、塵埃等の異物が有機ＥＬパネル６の表示領域に付着することを防止している。これにより、ファインダ装置１Ａの省スペース化による小型化を図りつつ、ファインダ装置１Ａの優れた防塵性能を確保することができる。
【００５３】
また、本実施形態では、シール部材９によりレンズ１１と有機ＥＬパネル６とをそれぞれ光軸方向に付勢してレンズホルダ４とパネルホルダ７で保持することができるので、防塵構造を実現しつつ、部品点数を削減して低コスト化を図ることができる。
【００５４】
なお、本発明の構成は、上記実施形態に例示したものに限定されるものではなく、材質、形状、寸法、形態、数、配置箇所等は、本発明の要旨を逸脱しない範囲において適宜変更可能である。
【００５５】
例えば、上記実施形態では、固定配置されたレンズホルダ４に対してパネルホルダ７を光軸方向に移動させて視度調整を行う場合を例示したが、パネルホルダ７を固定配置して、レンズホルダ４を光軸方向に移動させて視度調整を行うようにしてもよい。
【符号の説明】
【００５６】
３  視度調整ダイアル
４  レンズホルダ
６  有機ＥＬパネル
７  パネルホルダ
９  シール部材
１１〜１３  レンズ
【図１】
2017015928.tif 000003
【図２】
2017015928.tif 000004
【図３】
2017015928.tif 000005
【図４】
2017015928.tif 000006
【図５】
2017015928.tif 000007
【図６】
2017015928.tif 000008
【図７】
2017015928.tif 000009
【図８】
2017015928.tif 000010
【図９】
2017015928.tif 000011
【図１０】
2017015928.tif 000012
【図１１】
2017015928.tif 000013